(57)【要約】【課題】統合型電子商取引市場を提供する広告提供システム及び方法を提供する。【解決手段】広告提供システムは、ショッピング情報提供サービス、ウェブ文書検索サービス、個人ページ管理サービス、及び決済サービスのうち少なくとも一つを含む複数のサービスをポータルサイトを用いて提供するポータルサイト運用システムに含まれる広告提供システムであって、個人ページ管理サービスによってポータルサイトに会員として加入したユーザに割り当てられた個人ページに入力された商品に関する情報を受信する商品情報受信部と、受信された商品に関する情報に基づき商品を登録する商品登録部と、登録された商品に関する情報が個人ページ、ショッピング情報提供サービス、及びウェブ文書検索サービスのうち少なくとも一つにより表示され、表示された情報を用いて商品が販売される場合、決済サービスを用いて商品の販売による決済を処理する決済処理部を含む。【選択図】図２
2015057737.tif 000002
【特許請求の範囲】
【請求項１】
広告提供システムであって、
個人ページ管理サービスによってポータルサイトに会員として加入したユーザに割り当てられた個人ページに入力された前記ユーザの商品に関する情報を受信する商品情報受信部と、
前記受信された商品に関する情報に基づいて前記商品を登録する商品登録部と、
前記登録された商品に関する情報が、ショッピング情報提供サービス及びウェブ文書検索サービスのうち少なくとも一つによって表示され、前記表示された情報を用いて前記商品が販売される場合、決済サービスを用いて前記商品の販売による決済を処理する決済処理部と、
を備え、
前記ポータルサイトを用いて前記ショッピング情報提供サービス、前記ウェブ文書検索サービス、前記個人ページ管理サービス、及び前記決済サービスを少なくとも提供するポータルサイト運用システムに含まれることを特徴とする広告提供システム。
【請求項２】
前記商品の販売は、前記個人ページで行われることを特徴とする請求項１に記載の広告提供システム。
【請求項３】
前記登録された商品に関する情報は、さらに、前記ポータルサイト運用システムによって提供されるソーシャルネットワークサービスを用いて表示され、
前記決済処理部は、さらに、前記ソーシャルネットワークサービスによって表示された情報を用いて前記商品が販売される場合、前記決済サービスを用いて前記商品の販売による決済を処理することを特徴とする請求項１または２に記載の広告提供システム。
【請求項４】
前記ポータルサイト運用システムは、前記ソーシャルネットワークサービスをさらに提供し、
前記表示された商品に関する情報が前記ポータルサイトに会員として加入した他のユーザ及び前記決済サービスに会員として加入した他のユーザのうち少なくとも一つのユーザによって前記ソーシャルネットワークサービスにアップロードされて販売される場合、前記少なくとも一つのユーザに予め設定された補償が提供されることを特徴とする請求項１乃至３のいずれか一項に記載の広告提供システム。
【請求項５】
前記予め設定された補償は、前記登録された商品に関する情報を前記ソーシャルネットワークサービスに最初にアップロードしたユーザに提供されることを特徴とする請求項４に記載の広告提供システム。
【請求項６】
広告提供方法であって、
個人ページ管理サービスによってポータルサイトに会員として加入したユーザに割り当てられた個人ページに入力された前記ユーザの商品に関する情報を受信し、
前記受信された商品に関する情報に基づいて前記商品を登録し、
前記登録された商品に関する情報が、ショッピング情報提供サービス及びウェブ文書検索サービスのうち少なくとも一つによって表示され、前記表示された情報を用いて前記商品が販売される場合、決済サービスを用いて前記商品の販売による決済を処理し、
前記ポータルサイトを用いて前記ショッピング情報提供サービス、前記ウェブ文書検索サービス、前記個人ページ管理サービス、及び前記決済サービスを少なくとも提供するポータルサイト運用システムに含まれる広告提供システムによって実行されることを特徴とする広告提供方法。
【請求項７】
前記商品の販売は、前記個人ページで行われることを特徴とする請求項６に記載の広告提供方法。
【請求項８】
前記登録された商品に関する情報は、さらに、前記ポータルサイト運用システムによって提供されるソーシャルネットワークサービスを用いて表示され、
前記決済を処理することは、前記ソーシャルネットワークサービスによって表示された情報を用いて前記商品が販売される場合、前記決済サービスを用いて前記商品の販売による決済をさらに処理することを特徴とする請求項６または７に記載の広告提供方法。
【請求項９】
前記ポータルサイト運用システムは、前記ソーシャルネットワークサービスをさらに提供し、
前記表示された商品に関する情報が、前記ポータルサイトに会員として加入した他のユーザ及び前記決済サービスに会員として加入した他のユーザのうち少なくとも一つのユーザによって前記ソーシャルネットワークサービスにアップロードされて販売される場合、前記少なくとも一つのユーザに予め設定された補償が提供されることを特徴とする請求項６乃至８のいずれか一項に記載の広告提供方法。
【請求項１０】
前記予め設定された補償は、前記登録された商品に関する情報を前記ソーシャルネットワークサービスに最初にアップロードしたユーザに提供されることを特徴とする請求項９に記載の広告提供方法。
【請求項１１】
請求項６乃至１０のいずれか一項に記載の広告提供方法を実行するプログラムを記録したことを特徴とするコンピュータ読み出し可能な記録媒体。
【発明の詳細な説明】
【技術分野】
【０００１】
本発明の実施形態は、統合型電子商取引市場（ｉｎｔｅｇｒａｔｅｄ  ｅ−ｍａｒｋｅｔｐｌａｃｅ）を提供する広告提供システム及び広告提供方法に関する。
【背景技術】
【０００２】
一般の電子商取引（ｅ−ｃｏｍｍｅｒｃｅ）やｅ−ビジネス（ｅ−ｂｕｓｉｎｅｓｓ）が、企業と消費者との間のビジネスをインターネットなどに転換させたものであれば、電子商取引市場（ｅ−ｍａｒｋｅｔｐｌａｃｅ）は、供給者と消費者との間を連結する中継者の役割をインターネットなどのニューメディアを用いて行うものである。電子商取引市場は、供給業者から独立して供給者と消費者とを結びつけることがキーとなっている。主にＢ２Ｂ（企業間の取引）に多く用いられる。収益は取引成功に対するコミッションが主な部分であり、一部の電子商取引市場は登録費などの収益モデルを有する場合もある。企業は電子商取引市場の信頼性のおかげで、不特定企業との取引に対するリスクを減らすことができ、また、電子商取引市場と企業との間に確立された調達（ｐｒｏｃｕｒｅｍｅｎｔ）システムによってより容易に商品購入が可能となるため、コスト削減の効果を奏することができる。
【０００３】
図１は、従来技術に係る電子商取引市場のプラットフォーム（platform）構造を説明するための図である。従来技術に係る電子商取引市場では、販売商品の情報を登録する登録プラットフォーム１１０、登録された商品に関する情報をパブリッシング（ｐｕｂｌｉｓｈｉｎｇ）するパブリッシングプラットフォーム１２０、及びアフィリエイトマーケティング（ａｆｆｉｌｉａｔｅ  ｍａｒｋｅｔｉｎｇ）のためのアフィリエイト（ａｆｆｉｌｉａｔｅ）プラットフォーム１３０を含む。アフィリエイトマーケティングは、インターネット上で商取引するマーチャントサイト（ｍｅｒｃｈａｎｔ  ｓｉｔｅ）（すなわち、登録プラットフォーム１１０が運用するサイト）が自分のサイトを広告するアフィリエイト１４０を募集してトラフィックと売り上げを増加させる方式である。例えば、Ｐ４Ｐ（ｐａｙ−ｆｏｒ−ｐｅｒｆｏｒｍａｎｃｅ）広告のように、提携サイトを介して実績が発生したときにアフィリエイト１４０に広告費を支払うことを特徴とする。
【０００４】
ここで、登録プラットフォーム１１０は、オークション（ａｕｃｔｉｏｎ）やｅ−Ｂａｙのようなオンライン競売、インターネットショッピングモール会社のシステムによって運用され、パブリッシングプラットフォーム１２０は、個人ホームページサービスを提供するシステムや、カフェ、ブログまたはミニホームページなどを提供するポータルサイトのシステム、またはリワードサイト（ｒｅｗａｒｄ  ｓｉｔｅ）のシステムによって運用されることがある。また、アフィリエイトプラットフォーム１３０は、アフィリエイトマーケティングを提供する業者のシステムによって運用されることがある。すなわち、従来技術においては、各プラットフォームが、互いに異なる別個のシステムとして運用される。
【発明の概要】
【発明が解決しようとする課題】
【０００５】
本発明は、統合型電子商取引市場を効率的に提供することのできるシステム及び方法を提供する。
【０００６】
本発明の目的は、商品の登録、表示、販売、決済を統合的に処理して統合型電子商取引市場を提供することのできる広告提供システム及び方法を提供する。
【０００７】
本発明の目的は、ポータルサイトを運用するポータルサイト運用システムで提供するサービスを活用して商品の登録、表示、販売、決済を統合的に処理することのできる広告提供システム及び方法を提供する。
【０００８】
本発明の目的は、商品の登録、表示、販売、決済を統合的に処理して統合型電子商取引市場を提供すると同時に、アフィリエイトマーケティングのためのアフィリエイトプラットフォームを用いてアフィリエイトとして活動する会員に予め設定された補償を提供することによって、広告効果を増大させることのできる広告提供システム及び方法を提供する。
【課題を解決するための手段】
【０００９】
ショッピング情報提供サービス、ウェブ文書検索サービス、個人ページ管理サービス、及び決済サービスのうち少なくとも一つを含む複数のサービスをポータルサイトを用いて提供するポータルサイト運用システムに含まれる広告提供システムは、個人ページ管理サービスによってポータルサイトに会員として加入したユーザに割り当てられた個人ページに入力された商品に関する情報を受信する商品情報受信部と、受信された商品に関する情報に基づいて商品を登録する商品登録部と、登録された商品に関する情報が個人ページ、ショッピング情報提供サービス及びウェブ文書検索サービスのうち少なくとも一つによって表示され、表示された情報を用いて商品が販売される場合、決済サービスを用いて商品の販売による決済を処理する決済処理部とを備える広告提供システムが提供される。
【００１０】
一実施形態によると、商品の販売は個人ページで行われてもよい。
【００１１】
また、登録された商品に関する情報は、さらに、ポータルサイト運用システムによって提供されるソーシャルネットワークサービスを用いて表示されてもよい。この場合、決済処理部は、さらに、ソーシャルネットワークサービスによって表示された情報を用いて商品が販売される場合、決済サービスを用いて商品の販売による決済を処理してもよい。
【００１２】
他の実施形態によると、ポータルサイト運用システムは、ソーシャルネットワークサービスをさらに提供してもよい。ここで、表示された商品に関する情報がポータルサイトに会員として加入した他のユーザ及び決済サービスに会員として加入した他のユーザのうち少なくとも一つのユーザによってソーシャルネットワークサービスにアップロードされて販売される場合、少なくとも一つのユーザに予め設定された補償が提供されてもよい。
【００１３】
他の一実施形態によると、予め設定された補償は、登録された商品に関する情報をソーシャルネットワークサービスに最初にアップロードしたユーザに提供されてもよい。
【００１４】
ショッピング情報提供サービス、ウェブ文書検索サービス、個人ページ管理サービス、及び決済サービスのうち少なくとも一つを含む複数のサービスをポータルサイトを用いて提供するポータルサイト運用システムに含まれる広告提供システムによって実行される広告提供方法は、個人ページ管理サービスによってポータルサイトに会員として加入したユーザに割り当てられた個人ページに入力される商品に関する情報を受信し、受信された商品に関する情報に基づいて商品を登録し、登録された商品に関する情報が、個人ページ、ショッピング情報提供サービス、及びウェブ文書検索サービスのうち少なくとも一つによって表示され、表示された情報を用いて商品が販売される場合、決済サービスを用いて商品の販売による決済を処理することを含む広告提供方法が提供される。
【発明の効果】
【００１５】
本発明によると、商品の登録、表示、販売、決済を統合的に処理して統合型電子商取引市場を提供することができる。
【００１６】
本発明によると、ポータルサイトを運用するポータルサイト運用システムで提供するサービスを活用して商品の登録、表示、販売、決済を統合的に処理することができる。
【００１７】
本発明によると、商品の登録、表示、販売、決済を統合的に処理して統合型電子商取引市場を提供すると同時に、アフィリエイトマーケティングのためのアフィリエイトプラットフォームを用いてアフィリエイトとして活動する会員に予め設定された補償を提供することによって、広告効果を増大させることができる。
【図面の簡単な説明】
【００１８】
【図１】従来技術に係る電子商取引市場のプラットフォーム構造を説明するための図である。
【図２】本発明の一実施形態に係るポータルサイト運用システム及び広告提供システムの概略的な形状を示す図である。
【図３】本発明の一実施形態に係る広告提供方法の概略的な形状を示す図である。
【図４】本発明の一実施形態に係るソーシャルネットワークサービスによって商品に関する情報を流通する過程を示す一例である。
【図５】本発明の一実施形態に係るプラットフォーム構造を説明するための図である。
【図６】本発明の一実施形態に係る広告提供システムの内部構成を説明するためのブロック図である。
【図７】本発明の一実施形態に係る広告提供方法を示すフローチャートである。
【発明を実施するための形態】
【００１９】
以下、本発明の実施形態について添付の図面を参照しながら詳細に説明する。
【００２０】
本発明の実施形態は、広告提供システム及び広告提供システムが行う広告提供方法に関し、上述した広告提供システムは、ポータルサイトのようにユーザに様々なサービスを提供するポータルサイト運用システムであるか、ポータルサイト運用システムに含まれたシステムであってもよい。
【００２１】
図２は、本発明の一実施形態に係るポータルサイト運用システム及び広告提供システムの概略的な形状を示す図である。図２では、ポータルサイト運用システム２１０に広告提供システム２２０が含まれた形状を示している。ここで、ポータルサイト運用システム２１０は、ユーザ端末２３０を用いてアクセスをリクエストするユーザにポータルサイト２４０を提供してもよく、ポータルサイト２４０を介して様々なサービスを提供してもよい。
【００２２】
ポータルサイト２４０によってユーザに提供される様々なサービスは、ショッピング情報提供サービス、ウェブ文書の検索サービス、個人ページ管理サービス、ソーシャルネットワークサービス、決済サービスなどに対応してもよい。ここで、ショッピング情報提供サービスは、ショッピングのための商品検索サービスであってもよく、ウェブ文書の検索サービスは、入力されたキーワードに対応する特定ウェブ文書を検索して提供するサービスであってもよく、個人ページ管理サービスは、ブログ、カフェまたはミニホームページのように会員として加入した個人ユーザに特定ＵＲＬのページを割当及び管理するサービスであってもよい。ここで、ウェブ文書の検索サービスが提供するウェブ文書には、検索広告のためのウェブ文書が含まれていてもよい。また、ソーシャルネットワークサービスは、ウェブ上で利用者が人的ネットワークを形成できるようにするサービスであってもよい。このようなソーシャルネットワークサービスは、パーソナルウェブ環境（Ｐｅｒｓｏｎａｌ  Ｗｅｂ  Ｅｎｖｉｒｏｎｍｅｎｔ、ＰＷＥ）に連係され（ｃｏｍｂｉｎｅ）たり、上述した個人ページ管理サービスに連携されてもよい。
【００２３】
ここで、広告提供システム２２０は、ポータルサイト運用システム２１０に含まれるシステムとして、上述したショッピング情報提供サービス、ウェブ文書の検索サービス、個人ページ管理サービス、ソーシャルネットワークサービス、決済サービスのうち、少なくとも１つのサービスを直接提供したり、または、少なくとも１つのサービスに関連してもよい。このような広告提供システム２２０は、会員として加入したユーザに割り当てられる個人ページを介して商品の登録を受け、商品が登録された個人ページや商品に関する情報を上述した様々なサービスの少なくとも１つを用いてユーザに表示してもよい。
【００２４】
すなわち、広告提供システム２２０によってポータルサイト２４０及びポータルサイト２４０を用いて提供される様々なサービス全体が、統合型電子商取引市場（ｉｎｔｅｇｒａｔｅｄ  ｅ−ｍａｒｋｅｔ  ｐｌａｃｅ）のために活用されてもよい。
【００２５】
また、広告提供システム２２０は、商品が登録された個人ページや商品に関する情報が、上述したソーシャルネットワークサービスによってアップロードされ、アップロードされた情報を用いて商品を購入する場合、情報をアップロードしたユーザに、予め設定された補償を提供してもよい。すなわち、広告提供システム２２０は、アフィリエイトマーケティングのためのアフィリエイトプラットフォームを含んでもよい。ここで、アフィリエイトマーケティングのためのメインパブリッシャも、ポータルサイト２４０によって提供される様々なサービスを活用してもよい。
【００２６】
例えば、広告提供システム２２０またはポータルサイト運用システム２１０が提供するソーシャルネットワークサービスのサービスＡが存在すると仮定する。また、ユーザｂの個人ページＢに登録された商品、または商品が登録された個人ページＢに関する情報を、ユーザｃがサービスＡによってアップロードしたと仮定する。ここで、アップロードされた情報を用いて、ユーザｄが個人ページＢを訪問して商品を購入する場合、情報をアップロードしたユーザｃに予め設定された補償（ｒｅｗａｒｄ）が提供されてもよい。
【００２７】
また、前述したように、ソーシャルネットワークサービスは、ブログやカフェまたはミニホームページのような個人ページを提供及び管理する個人ページ管理サービスに連動されて利用されてもよい。ここで、商品の購入そのものが最初に商品が登録された個人ページを用いて行なわれてもよい。すなわち、ソーシャルネットワークサービスによってアップロードされる情報は、商品が最初に登録された個人ページへのリンクを含むものであってもよい。上述したように、一例として、ユーザｂの個人ページＢに登録された商品に関する情報を、ユーザｃが、ユーザｃの個人ページＣにクリッピング（ｃｌｉｐｐｉｎｇ）（すなわち、アップロード）したと仮定する。ここで、クリッピングされた商品の情報には、個人ページＢへのリンクが設定されていてもよい。この場合、個人ページＣを訪問したユーザｄが、リンクを用いて個人ページＢを訪問して商品を購入したとする場合、広告提供システム２２０は、ユーザｃに予め設定された補償を提供してもよい。
【００２８】
予め設定された補償は、クーポンやポータルサイト運用システム２１０が管理する積立ポイントなどの形態で提供されてもよく、必要に応じて、最初に情報をソーシャルネットワークサービスや個人ページでアップロードしたユーザにのみ提供されてもよい。本明細書において「積立ポイント（ｒｅｓｅｒｖｅｄ  ｐｏｉｎｔｓ）」とは、現実世界で用いられる単位として定義されるものであってもよく、必要に応じて現実世界で用いられる貨幣に対応するポイントやマイレージなどのサイバー貨幣として表現されるものであってもよい。サイバー貨幣は、例えば、現実世界で実際に用いられる貨幣の単位と１：１の比率の価値を有するサイバー貨幣であってもよく、または１：１０の比率の価値を有するサイバー貨幣などのように、必要に応じて自由に表現されるものであってもよい。
【００２９】
図３は、本発明の一実施形態に係る広告提供方法の概略的な形状を示す図である。まず、ユーザ３１０は、ユーザ３１０に割り当てられた個人ページ３２０を介して商品を登録してもよい。ここで、本実施形態に係る広告提供システムは、様々なサービス３３０によって商品または個人ページ３２０に関する情報を表示してもよい。例えば、広告提供システムは、商品を検索するときにショッピング情報提供サービスを用いて情報を表示したり、ウェブ文書検索サービスを用いて検索結果に情報を含めて表示してもよい。また、広告提供システムは、個人ページ管理サービスを用いて他のカフェやブログ、ミニホームページなどを介して情報を表示してもよく、ソーシャルネットワークサービスによって情報を表示してもよい。それだけではなく、広告提供システムは、外部広告３４０によって情報を表示してもよい。ここで、外部広告（ｅｘｔｅｒｎａｌ  ａｄｖｅｒｔｉｓｅｍｅｎｔ）３４０は、他のポータルサイトや他のパブリッシャを意味するものであってもよい。
【００３０】
本明細書において、「パブリッシャ（ｐｕｂｌｉｓｈｅｒ）」という用語は「サイト（ｓｉｔｅ）」という用語に置換して用いてもよい。ただし、サイトという用語を用いた説明によって、モバイル端末で実行されるアプリケーション画面など、一般的なパーソナルコンピュータ（ＰＣ）のウェブサイト接続を用いない環境であっても、本発明が実施される可能性が排除されることはない。逆に、「サイト」という用語は、「パブリッシングサイト」または上述した「パブリッシャ」という用語に互換されて用いられてもよい。言い換えれば、それぞれのサイトは個別パブリッシャに対応してもよい。ここで、「サイト」という用語は、広告の表示が可能であり、有線／無線ネットワークを介してユーザに提供可能な全ての種類のウェブサイトを含んでもよく、ウェブサイトを構成している１つのウェブページを意味する。また、広告や商品などの情報を「表示」することは、ウェブサイト（パブリッシャ）によってその広告主に関連するテキスト、イメージなど、声、動画、ハイパーリンクなどの広報性コンテンツが当該ウェブサイトの訪問者に提供されることを含むものと解釈されてもよい。また、表示した広告に対する「選択」は、ユーザ（ウェブサイト訪問者）が提供されたテキスト、イメージなどの広報性コンテンツに対してユーザ（ウェブサイト訪問者）がマウスクリックなどの反応を示すことによって、広告主が広報性コンテンツの伝達によって達成しようとする状況が発生したことを意味する。ここで、広告主が広報性コンテンツの伝達によって達成しようとする状況とは、例えば、広告主に関連するページが、広告を選択したユーザに表示される状況を含んでもよい。
【００３１】
ここで、表示された情報は、他のユーザによって購読（ｓｕｂｓｃｒｉｂｅ）されてもよい。すなわち、表示された情報に対する購読を申請したユーザには、パーソナルウェブ環境３５０を介してユーザの個人空間に情報が提供されてもよく、ユーザは個人空間（ｐｅｒｓｏｎａｌ  ｓｐａｃｅ）に提供された情報を容易に確認することができる。ここで、個人空間は、個々人のウェブの格納空間（ｓｔｏｒａｇｅ  ｓｐａｃｅ）を提供し、家計簿サービスやカレンダーサービスまたは日程管理などが可能な個人別のウェブページを介して提供されるウェブ上の空間を意味する。すなわち、ユーザは、このような個人別ウェブページに提供される情報を有線／無線インターネットの接続可能ないずれの環境でも容易かつ手軽に確認することができる。購読される情報は、ユーザによって設定される条件に応じて、周期的に、または設定された条件に該当するとき、個人空間に提供されてもよい。
【００３２】
また、表示された情報は、他のユーザによってソーシャルネットワークサービス３６０や個人ページ３７０を用いてアップロード（拡散（ｓｐｒｅａｄ））されてもよい。すなわち、他のユーザによって一回表示された情報が、さらに他のユーザによって２次的に表示されてもよい。この場合、広告提供システムは、情報をアップロードした他のユーザに予め設定された補償を提供してもよい。
【００３３】
ここで、図３には、ソーシャルネットワークサービス３６０と個人ページ３７０とを別々に図示しているが、ブログやカフェ、ミニホームページなどの個人ページ３７０も、他のユーザと人的関係を形成するという点で、ソーシャルネットワークサービス３６０に含まれてもよい。また、ソーシャルネットワークサービス３６０によって商品に関する情報をアップロードすることはメールを用いて商品に関する情報を伝達することも含んでいてもよい。
【００３４】
再び図２を参照して説明すると、決済サービスはチェックアウト決済サービスを含んでもよい。ここで、チェックアウト決済サービスは、ポータルサイトが提供する決済サービスに加入したユーザがポータルサイトのＩＤ１つで便利に商品を購入及び決済できるようにサポートするサービスを意味する。商品の登録された個人ページにおける商品購入もこのようなチェックアウト決済サービスを用いて決済してもよい。このようなチェックアウト決済サービスは、上述した積立ポイントやクーポンなどを用いた決済もサポートしてもよい。
【００３５】
すなわち、本発明の実施形態に係る広告提供システムを利用すれば、商品の登録、表示、販売、決済全般の過程を統合的に処理できるだけではなく、商品に対するアフィリエイトマーケティングも統合的に１つのシステムで処理可能になる。
【００３６】
図４は、本発明の一実施形態に係るソーシャルネットワークサービスによって商品に関する情報を流通する過程を示す一例である。
【００３７】
ユーザ４１０は、様々なサービスによって表示された商品に関する情報４２０をパーソナルウェブ環境を介して購読したり、または、ソーシャルネットワークサービスによってアップロードしてもよい。ここで、情報４２０は、ブログ、カフェ、ニュース、ウェブアニメ（ｗｅｂ  ｃａｒｔｏｏｎ）、ショッピングなどの様々な方法によって表示されてもよい。ここで、セルブログ（ｃｅｌｌ  ｂｌｏｇ）４２１とは、情報４２０が登録された個人ページを意味する。ここで、ユーザ４１０にパーソナルウェブ環境によって購読された情報がユーザ４１０によってソーシャルネットワークサービスを用いてアップロードされてもよい。または、ユーザ４１０の選択に応じて、自動的にソーシャルネットワークサービスを用いてアップロードされるように設定されてもよい。ソーシャルネットワークサービスを用いてアップロードされた情報４２０は、ユーザ４１０と人的関係を形成した他のユーザ４３０に表示されてもよく、他のユーザ４３０のうち、少なくとも１つのユーザが表示した情報４２０によって商品を購入する場合、ユーザ４１０には予め設定された補償が提供されてもよい。ここで、商品の購入は、セルブログ４２１で発生する購入に限定されてもよい。すなわち、ユーザ４１０が追加の会員加入の申し込みをしなくても、統合型電子商取引市場内でアフィリエイトとして活動することができるようになる。
【００３８】
図５は、本発明の一実施形態に係るプラットフォーム構造を説明するための図である。このように、本発明の実施形態では販売するための商品の情報を登録する登録プラットフォーム５１０と、登録された商品に関する情報をパブリッシングするパブリッシングプラットフォーム５２０、及びアフィリエイト５３０の実績を管理して収益を配分するアフィリエイトプラットフォーム５４０が１つのシステムに含まれてもよい。すなわち、１つのシステムによって商品の登録、表示、販売、決済、収益配分全般に係る過程が統合的に行われてもよい。すなわち、１つのポータルサイトに提供される様々なサービスを用いて統合型電子商取引市場を提供することができる。
【００３９】
登録プラットフォーム５１０は、セルブログを用いて登録される商品の詳細情報がさらに入力されて管理されてもよく、ユーザの商品に対する関心の現況や購入評価などが管理されてもよい。また、登録プラットフォーム５１０は、イベントや企画展に関する情報が
入力されて管理され、セルブログを用いて表示されてもよい。
【００４０】
ここで、パブリッシングプラットフォーム５２０は、ブログやカフェ、ミニホームページまたはメールなどを用いた直接的な商品広告だけではなく、バズマーケティング（ｂｕｚｚ  ｍａｒｋｅｔｉｎｇ）またはバイラルマーケティング（ｖｉｒａｌ  ｍａｒｋｅｔｉｎｇ）によって商品に関する情報を２次広報するために、ソーシャルネットワークサービスと連動されてもよい。このようなパブリッシングプラットフォーム５２０は、ブログやカフェ、ミニホームページ、メールまたはソーシャルネットワークサービスによって商品やセルブログに関する情報を表示することで、セルブログにトラフィックを提供してもよい。すなわち、セルブログにユーザを流入させて商品の購入を誘導する広告提供の役割をすることもできる。
【００４１】
アフィリエイト５３０は、基本的に図２を参照して説明したポータルサイト運用システム２１０の会員であってもよいが、必要に応じて、ポータルサイト運用システム２１０が提供する決済サービスのチェックアウト決済サービスの会員に限定されるものであってもよい。
【００４２】
アフィリエイトプラットフォーム５４０は、このようなアフィリエイト５３０の実績を管理して収益を配分してもよい。すなわち、商品に関する情報をソーシャルネットワークサービスによってアップロードし、商品の購入を誘導したアフィリエイト５３０には、積立ポイントやクーポンのような予め設定された補償が提供されてもよい。すなわち、決済サービスの会員が自発的に人的関係を形成した他のユーザに、商品に関する情報を２次的に広報するように誘導してもよい。
【００４３】
図６は、本発明の一実施形態に係る広告提供システム６００の内部構成を説明するためのブロック図である。本実施形態に係る広告提供システム６００は、ショッピング情報提供サービス、ソーシャルネットワークサービス、ウェブ文書検索サービス、個人ページ管理サービス、及び決済サービスのうち少なくとも一つを含む複数のサービスを、ポータルサイトを用いて提供するポータルサイト運用システムに含まれるシステムである。このような広告提供システム６００は、図６に示すように商品情報受信部６１０、商品登録部６２０及び決済処理部６３０を備えてもよい。
【００４４】
商品情報受信部６１０は、個人ページ管理サービスによってポータルサイトに会員として加入したユーザに割り当てられた個人ページに入力される商品に関する情報を受信してもよい。一例として、個人ページは、ブログ、カフェ及びミニホームページのうち少なくとも１つに対応してもよく、個人ページ管理サービスは、このようなブログ、カフェ及びミニホームページのうち少なくとも１つを管理するサービスであってもよい。すなわち、ポータルサイトに会員として加入したユーザには、このような個人ページが割り当てられてもよく、個人ページを介して自身の商品を販売したいユーザは、個人ページに商品に関する情報を入力して自身の商品を登録してもよい。
【００４５】
商品登録部６２０は、受信された商品に関する情報に基づいて商品を登録する。登録された商品は、ポータルサイトが提供する様々なサービスを用いて他のユーザに表示されてもよい。
【００４６】
決済処理部６３０は、登録された商品に関する情報が、個人ページ、ショッピング情報提供サービス及びウェブ文書検索サービスのうち少なくとも１つによって表示され、表示された情報を用いて商品が販売される場合、決済サービスを用いて商品の販売による決済を処理する。
【００４７】
すなわち、広告提供システム６００は、ポータルサイトを介して提供される様々なサービスを用いて、商品の登録、表示、販売全般に係る過程を統合的に処理する統合型電子商取引市場を提供することができる。
【００４８】
ここで、ポータルサイト運用システムは、ソーシャルネットワークサービスをさらに提供してもよく、登録された商品に関する情報は、ソーシャルネットワークサービスによってさらに表示されてもよい。この場合、決済処理部６３０は、ソーシャルネットワークサービスによって表示された情報を用いて、商品が販売される場合、決済サービスを用いて商品の販売による決済をさらに処理可能になる。
【００４９】
また、表示された商品に関する情報が、ポータルサイトに会員として加入した他のユーザ、及び決済サービスに会員として加入した他のユーザのうち少なくとも１つのユーザにより、ソーシャルネットワークサービスにアップロードされて販売される場合には、少なくとも１つのユーザに予め設定された補償が提供されてもよい。このような予め設定された補償は、一例として、登録された商品に関する情報を、ソーシャルネットワークサービスに最初にアップロードしたユーザに提供されてもよい。すなわち、アフィリエイトマーケティングのためのアフィリエイトプラットフォームが１つのシステムに含まれていてもよく、ユーザが別途アフィリエイトプラットフォームに加入せずとも、ポータルサイトに加入した会員または決済サービスに加入した会員であれば、アフィリエイトとして活動可能になる。
【００５０】
また、商品の販売は、最初の商品を登録するために商品に関する情報が登録された個人ページで行われてもよい。例えば、他の経路を介して商品が表示される場合、表示される情報には個人ページへのリンクが含まれていてもよく、商品の購入がリクエストされる場合、自動的に個人ページが商品の購入をリクエストしたユーザに提供されてもよい。この場合、個人ページで商品の購入を行なってもよく、決済処理部６３０は商品の販売による決済を決済サービスを用いて処理してもよい。ここで、決済サービスは、すでに説明したようにチェックアウト決済サービスを含んでもよい。
【００５１】
図７は、本発明の一実施形態に係る広告提供方法を示すフローチャートである。本実施形態に係る広告提供方法は、図６を参照して説明した広告提供システム６００によって行われてもよい。
【００５２】
ステップＳ７１０において、広告提供システム６００は、個人ページ管理サービスによってポータルサイトに会員として加入したユーザに割り当てられた個人ページに入力される商品に関する情報を受信する。一例として、個人ページは、ブログ、カフェ及びミニホームページのうち少なくとも１つに対応してもよく、個人ページ管理サービスは、このようなブログ、カフェ及びミニホームページのうち少なくとも１つを管理するサービスであってもよい。すなわち、ポータルサイトに会員として加入したユーザにはこのような個人ページが割り当てられてもよく、個人ページを介して自身の商品を販売したいユーザは、個人ページで商品に関する情報を入力して自身の商品を登録してもよい。
【００５３】
ステップＳ７２０において、広告提供システム６００は、受信された商品に関する情報に基づいて商品を登録する。登録された商品は、ポータルサイトが提供する様々なサービスを用いて他のユーザに表示されてもよい。
【００５４】
ステップＳ７３０において、広告提供システム６００は、登録された商品に関する情報が個人ページ、ショッピング情報提供サービス及びウェブ文書検索サービスのうち少なくとも１つによって表示され、表示された情報を用いて商品が販売される場合、決済サービスを用いて商品の販売による決済を処理する。
【００５５】
すなわち、広告提供システム６００は、ポータルサイトを介して提供される様々なサービスを用いて商品の登録、表示、販売及び決済全般に係る過程を統合的に処理する統合型電子商取引市場を提供することができる。
【００５６】
ここで、ポータルサイト運用システムは、ソーシャルネットワークサービスをさらに提供してもよく、登録された商品に関する情報はソーシャルネットワークサービスによってさらに表示されてもよい。この場合、広告提供システム６００は、ソーシャルネットワークサービスによって表示された情報を用いて商品が販売される場合、決済サービスを用いて商品の販売による決済をさらに処理してもよい。
【００５７】
また、表示された商品に関する情報が、ポータルサイトに会員として加入した他のユーザ、及び決済サービスに会員として加入した他のユーザのうち少なくとも１つのユーザによってソーシャルネットワークサービスにアップロードされて販売される場合には、少なくとも１つのユーザに予め設定された補償が提供されてもよい。このような予め設定された補償は、一例として、登録された商品に関する情報を、ソーシャルネットワークサービスに最初にアップロードしたユーザに提供されてもよい。すなわち、アフィリエイトマーケティングのためのアフィリエイトプラットフォームが１つのシステムに含まれていてもよく、ユーザが別途アフィリエイトプラットフォームに加入せずとも、ポータルサイトに加入した会員または決済サービスに加入した会員であれば、アフィリエイトとして活動可能になる。
【００５８】
また、商品の販売は、最初に商品の登録のために商品に関する情報が登録された個人ページで行われてもよい。例えば、他の経路を介して商品が表示される場合、表示される情報には個人ページへのリンクが含まれていてもよく、商品の購入がリクエストされる場合、自動的に個人ページが商品の購入をリクエストしたユーザに提供されてもよい。この場合、個人ページで商品の購入を行なってもよく、広告提供システム６００は商品の販売による決済を決済サービスを用いて処理してもよい。ここで、決済サービスはすでに説明したようにチェックアウト決済サービスを含んでもよい。
【００５９】
図６及び図７で省略した内容は、図２から図５の内容が参照されてもよい。
【００６０】
このように、本発明の実施形態によると、商品の登録、表示、販売、決済を統合的に処理して統合型電子商取引市場を提供してもよい。また、ポータルサイトを運用するポータルサイト運用システムに提供するサービスを活用して、商品の登録、表示、販売、決済を統合的に処理してもよい。また、商品の登録、表示、販売、決済を統合的に処理して統合型電子商取引市場を提供すると同時に、アフィリエイトマーケティングのためのアフィリエイトプラットフォームを用いてアフィリエイトとして活動する会員に予め設定された補償を提供することで、広告効果を増大させることができる。
【００６１】
本発明の実施形態に係る方法は、様々なコンピュータ手段によって実行され得るプログラム命令形態で実現され、コンピュータ読み取り可能な媒体に記録され得る。コンピュータ読み取り可能な媒体は、プログラム命令、データファイル、データ構造などを単独または組み合わせたものを含んでもよい。媒体に記録されるプログラム命令は、本発明のために特別に設計されて構成されたものであってもよく、コンピュータソフトウェアの当業者に公示されて使用可能なものであってもよい。
【００６２】
上述したように、本発明は限定された実施形態と図面によって説明されるが、本発明が上述した実施形態に限定されるものではなく、本発明が属する分野において通常の知識を有する者であれば、このような記載から多様な修正および変形が可能である。
【００６３】
したがって、本発明の範囲は、上述した実施形態に限定されて定められてはならず、添付の特許請求の範囲だけではなく、この特許請求の範囲と均等なものによって定められるものである。
【符号の説明】
【００６４】
２１０      ポータルサイト運用システム
２２０      広告提供システム
２３０      ユーザ端末
２４０      ポータルサイト
【図１】
2015057737.tif 000003
【図２】
2015057737.tif 000004
【図３】
2015057737.tif 000005
【図４】
2015057737.tif 000006
【図５】
2015057737.tif 000007
【図６】
2015057737.tif 000008
【図７】
2015057737.tif 000009